(57)【特許請求の範囲】
【請求項１】
楕円を基調とする反射面を有するリフレクタと、
前記反射面の第１焦点もしくはその近傍に配置されている光源と、
前記反射面からの反射光を出射面から外部に出射させる投影レンズと、
を備え、
前記投影レンズの前記出射面の横断面の形状は、非球面もしくはほぼ非球面の断面線形状をなし、
前記投影レンズの前記出射面の縦断面の形状は、非球面もしくはほぼ非球面の断面線形状をなし、
前記投影レンズの横断面の後側焦点距離は、前記投影レンズの縦断面の後側焦点距離よりも長い、
ことを特徴とする車両用灯具。
【請求項２】
楕円を基調とする反射面を有するリフレクタと、
前記反射面の第１焦点もしくはその近傍に配置されている光源と、
前記反射面からの反射光を出射面から外部に出射させる投影レンズと、
を備え、
前記投影レンズの前記出射面の横断面の形状は、光の出射方向側に突出した凸曲線形状と非球面もしくはほぼ非球面の断面線形状とを組み合わせた形状をなし、中央部が非球面もしくはほぼ非球面の断面線形状をなし、両側部が光の出射方向側に突出した凸曲線形状をなし、
前記投影レンズの前記出射面の縦断面の形状は、非球面もしくはほぼ非球面の断面線形状をなす、
ことを特徴とする車両用灯具。
【請求項３】
前記投影レンズの前記出射面から出射される光は、横断面において、相互に交差しないで横方向に拡散される、
ことを特徴とする請求項１または２に記載の車両用灯具。
【発明の詳細な説明】
【技術分野】
【０００１】
この発明は、プロジェクタタイプの車両用灯具に関するものである。
【背景技術】
【０００２】
この種の車両用灯具は、従来からある（たとえば、特許文献１）。特許文献１の車両用灯具は、投影レンズと、投影レンズの後方側焦点よりも後方に配置されたＬＥＤと、投影レンズの後方側焦点を第１焦点とし、かつ、ＬＥＤを第２焦点とするほぼ楕円面形状の反射面を有するリフレクタと、を備えるものである。特許文献１の車両用灯具は、ＬＥＤを点灯すると、ＬＥＤからの出射光がリフレクタの反射面で反射し、その反射光が投影レンズに入射して投影レンズの出射面から所定の配光パターンとして外部に照射される。
【先行技術文献】
【特許文献】
【０００３】
【特許文献１】特開２０１０−４９９２９号公報
【特許文献２】特開２０１３−２５７９４８号公報
【発明の概要】
【発明が解決しようとする課題】
【０００４】
ところが、特許文献１の車両用灯具は、投影レンズの出射面が非球面をなすものである。すなわち、投影レンズの出射面の横断面の形状と投影レンズの出射面の縦断面の形状とが、同じ非球面形状である。このために、投影レンズの出射面から出射される光が横断面と縦断面とにおいて平行光とされる。この結果、特許文献１の車両用灯具は、光を横方向（左右方向、水平方向）に拡散させる車両用灯具特有の配光パターン（いわゆる、幅広の配光パターン）を形成するのには課題がある。すなわち、特許文献１の車両用灯具では、光を横方向に拡散させる配光パターンを形成するのには、投影レンズを大型化する必要がある。
【０００５】
ここで、左右方向に長尺な配光パターンを形成する車両用灯具（たとえば、特許文献２）について説明する。特許文献２の車両用灯具は、プロジェクタタイプの車両用灯具ではなく、ダイレクトプロジェクション型の車両用灯具であって、ＬＥＤと、投影レンズと、を備えるものである。そして、投影レンズは、中央部の第一配光制御部と、左右両側の第二配光制御部と、からなっていて、出射面の横断面の形状と出射面の縦断面の形状とが異なっている。このために、特許文献２の車両用灯具は、ＬＥＤから放射状に出射された光が、縦断面では平行光とされ、横断面では左右方向に拡散されて、左右方向に長尺な配光パターンが形成される。
【０００６】
しかしながら、特許文献２の車両用灯具は、ダイレクトプロジェクション型の車両用灯具である。このために、ＬＥＤからの直射光は、投影レンズの中央部の第一配光制御部の入射面と投影レンズの左右両側の第二配光制御部の入射面とにそれぞれ入射する。第二配光制御部の入射面に入射した入射光は、横断面において、第二配光制御部の出射面から光軸に近づくように出射する。これにより、特許文献２の車両用灯具は、左右方向にさらに長尺な配光パターンを形成するには課題がある。
【０００７】
この発明が解決しようとする課題は、従来の車両用灯具では、光が横方向に拡散された幅広の配光パターンを形成するのには課題がある、という点にある。
【課題を解決するための手段】
【０００８】
この発明は、楕円を基調とする反射面を有するリフレクタと、反射面の第１焦点もしくはその近傍に配置されている光源と、反射面からの反射光を出射面から外部に出射させる投影レンズと、を備え、投影レンズの出射面の横断面の形状が、光の出射方向側に突出した凸曲線形状をなし、投影レンズの出射面の縦断面の形状が、非球面もしくはほぼ非球面の断面線形状をなす、ことを特徴とする。
【０００９】
この発明は、楕円を基調とする反射面を有するリフレクタと、反射面の第１焦点もしくはその近傍に配置されている光源と、反射面からの反射光を出射面から外部に出射させる投影レンズと、を備え、投影レンズの出射面の横断面の形状が、非球面もしくはほぼ非球面の断面線形状をなし、投影レンズの出射面の縦断面の形状が、非球面もしくはほぼ非球面の断面線形状をなし、投影レンズの横断面の後側焦点距離が、投影レンズの縦断面の後側焦点距離よりも長い、ことを特徴とする。
【００１０】
この発明は、楕円を基調とする反射面を有するリフレクタと、反射面の第１焦点もしくはその近傍に配置されている光源と、反射面からの反射光を出射面から外部に出射させる投影レンズと、を備え、投影レンズの出射面の横断面の形状が、光の出射方向側に突出した凸曲線形状と非球面もしくはほぼ非球面の断面線形状とを組み合わせた形状をなし、中央部が非球面もしくはほぼ非球面の断面線形状をなし、両側部が光の出射方向側に突出した凸曲線形状をなし、投影レンズの出射面の縦断面の形状が、非球面もしくはほぼ非球面の断面線形状をなす、ことを特徴とする。
【００１１】
この発明は、投影レンズの出射面から出射される光が、横断面において、相互に交差しないで横方向に拡散される、ことを特徴とする。
【発明の効果】
【００１２】
この発明の車両用灯具は、投影レンズの出射面の横断面の形状が光の出射方向側に突出した凸曲線形状をなす。この結果、この発明の車両用灯具は、光が横方向に拡散された幅広の配光パターンを確実に形成することができる。
【００１３】
この発明の車両用灯具は、投影レンズの出射面の横断面の形状と投影レンズの出射面の縦断面の形状とが非球面の断面線形状をなし、投影レンズの横断面の後側焦点距離が投影レンズの縦断面の後側焦点距離よりも長い。この結果、この発明の車両用灯具は、光が横方向に拡散された幅広の配光パターンを確実に形成することができる。
【００１４】
この発明の車両用灯具は、投影レンズの出射面の横断面の形状が、光の出射方向側に突出した凸曲線形状と非球面の断面線形状とを組み合わせた形状をなし、中央部が非球面の断面線形状をなし、両側部が光の出射方向側に突出した凸曲線形状をなす。この結果、この発明の車両用灯具は、配光パターンの中央部の光度（集光度）を確保しつつ、光が横方向に拡散された幅広の配光パターンを確実に形成することができる。
【００１５】
しかも、この発明の車両用灯具は、プロジェクタタイプの車両用灯具である。このために、光源からの光であってリフレクタの反射面で反射された反射光は、投影レンズの入射面に入射する。その入射光は、投影レンズの出射面から、横断面において、横方向に拡散された出射光として出射する。これにより、光が横方向に拡散された幅広の配光パターンを確実に形成することができる。
【００１６】
この発明の車両用灯具は、投影レンズの出射面から出射される光が、横断面において、相互に交差しないで横方向に拡散される。これにより、光が横方向に拡散された幅広の配光パターンを確実に形成することができる。
【図面の簡単な説明】
【００１７】
【図１】図１は、この発明にかかる車両用灯具の実施形態１を示す投影レンズの説明図である。
【図２】図２は、ランプユニットの概略横断面を示す説明図である。
【図３】図３は、光の横方向の拡散の違いを示すランプユニットの概略横断面説明図である。
【図４】図４は、横方向拡散配光パターンと集光配光パターンとの概略を示す説明図である。
【図５】図５は、この発明にかかる車両用灯具の実施形態２を示す投影レンズの説明図である。
【発明を実施するための形態】
【００１８】
以下に、この発明にかかる車両用灯具の実施形態（実施例）の２例および変形例の１例を図面に基づいて詳細に説明する。なお、この実施形態および変形例によりこの発明が限定されるものではない。図１〜図３、図５において、投影レンズのハッチングを省略してある。図４において、符号「ＶＵ−ＶＤ」は、スクリーンの上下の垂直線を示す。符号「ＨＬ−ＨＲ」は、スクリーンの左右の水平線を示す。この明細書において、前、後、上、下、左、右とは、この発明にかかる車両用灯具を車両に装備した際の前、後、上、下、左、右である。
【００１９】
（実施形態１の構成の説明）
図１〜図４は、この発明にかかる車両用灯具の実施形態１を示す。以下、この実施形態１における車両用灯具の構成について説明する。この例は、たとえば、自動車用前照灯のヘッドランプについて説明する。
【００２０】
（車両用灯具１の説明）
図２、図３において、符号１は、この実施形態１における車両用灯具である。前記車両用灯具１は、車両の前部の左右両側にそれぞれ搭載されている。前記車両用灯具１は、図２、図３に示すように、ランプハウジング（図示せず）と、ランプレンズ（図示せず）と、光源２と、投影レンズ３と、リフレクタ４と、を備える。前記光源２および前記投影レンズ３および前記リフレクタ４は、ヒートシンク部材と兼用の取付部材（図示せず）にそれぞれ取り付けられている。
【００２１】
前記ランプハウジングおよび前記ランプレンズ（たとえば、素通しのアウターレンズなど）は、灯室（図示せず）を画成する。前記光源２および前記投影レンズ３および前記リフレクタ４は、プロジェクタタイプのランプユニットを構成する。前記ランプユニット２、３、４は、図４に示すように、ロービーム配光パターンのうち、拡散配光パターンＷＰを照射するランプユニットである。
【００２２】
前記ランプユニット２、３、４は、前記灯室内に配置されていて、かつ、上下方向用光軸調整機構（図示せず）および左右方向用光軸調整機構（図示せず）を介して前記ランプハウジングに取り付けられている。なお、前記灯室内には、図示されていないが、ロービーム配光パターンのうち、集光配光パターンＳＰを照射するランプユニット、ハイビーム照射ランプユニット、ＡＤＢ照射ランプユニット、フォグランプ、コーナリングランプ、クリアランスランプ、ターンシグナルランプ、オーバーヘッドサインランプ、デイタイムランニングランプなどの他のランプユニットが配置されている場合がある。
【００２３】
前記拡散配光パターンＷＰは、図４に示すように、上水平カットオフラインを有する。前記集光配光パターンＳＰは、図４に示すように、下水平カットオフラインＣＬ１と、斜めカットオフラインＣＬ２と、上水平カットオフラインＣＬ３と、エルボー点Ｅと、を有する。前記拡散配光パターンＷＰの前記上水平カットオフラインは、前記集光配光パターンＳＰの前記下水平カットオフラインＣＬ１とほぼ同等の位置もしくは若干下方の位置に位置する。
【００２４】
（リフレクタ４の説明）
前記リフレクタ４は、たとえば、樹脂部材や金属製ダイカスト（アルミダイカスト）などの耐熱性が高くかつ光不透過性の材料からなる。前記リフレクタ４は、前側部分および下側部分が開口し、かつ、後側部分および上側部分および左右両側部分が閉塞した中空形状をなす。前記リフレクタ４の閉塞部分の凹内面には、回転楕円面（楕円）を基本（基調）とした自由曲面からなる反射面４０が設けられている。
【００２５】
前記反射面４０は、自由曲面から構成されている。このために、前記反射面４０の第１焦点Ｆ１および第２焦点（もしくは第２焦線）Ｆ２においては、厳密な意味での単一の焦点を有していないが、複数の反射面相互の焦点距離の差異が僅少であり、ほぼ同一の焦点を共有している。そこで、この明細書および図面においては、ただ単に第１焦点および第２焦点と称する。前記反射面４０においては、前記第１焦点Ｆ１と前記第２焦点Ｆ２とを結ぶ光軸Ｚを有する。前記反射面４０は、前記光源２からの光を反射光Ｌ１、Ｌ２として前記投影レンズ３側に反射させるものである。なお、前記反射面４０は、自由曲面から構成されているので、図２に示すように、前記反射面４０からの前記反射光Ｌ１、Ｌ２のうちの一部Ｌ１は、前記第２焦点Ｆ２もしくはその近傍を通過しない場合がある。
【００２６】
（光源２の説明）
前記光源２は、この例では、半導体型光源であって、ＬＥＤ、ＯＥＬまたはＯＬＥＤ（有機ＥＬ）などの自発光半導体型光源を使用する。前記光源２は、光を放射する発光面を有する発光部と、基板部と、から構成されている。前記光源２の前記発光部の前記発光面は、前記リフレクタ４の前記反射面４０の前記第１焦点Ｆ１もしくはその近傍に位置する。前記光源２の前記発光部の前記発光面は、前記リフレクタ４の前記反射面４０に対向する。
【００２７】
（投影レンズ３の説明）
前記投影レンズ３は、たとえば、ＰＣ材、ＰＭＭＡ材、ＰＣＯ材などの樹脂製のレンズからなるものである。すなわち、前記光源２から放射される光は、高い熱を持たないので、前記投影レンズ３として樹脂製のレンズを使用することができる。
【００２８】
前記投影レンズ３は、前記光源２からの光であって、所定の配光パターンこの例では前記拡散配光パターンＷＰを、外部すなわち車両の前方に照射（投影）する。前記投影レンズ３は、後面の入射面３０と、前面の出射面３１、３１Ｈ、３１Ｖと、フランジ部３２と、側面３３と、から構成されている。
【００２９】
前記出射面３１、３１Ｈの横断面の形状は、図１（Ｂ）、図２、図３に示すように、光（出射光Ｌ３、Ｌ４）の出射方向側（前側）に突出した凸曲線形状、すなわち、ＲもしくはほぼＲをなす。前記出射面３１、３１Ｖの縦断面の形状は、図１（Ｃ）、図３中の二点鎖線に示すように、非球面もしくはほぼ非球面の断面線形状をなす。
【００３０】
前記出射面３１、３１Ｈ、３１Ｖは、横断面の形状が凸曲線形状（ＲもしくはほぼＲ）となるように、また、縦断面の形状が非球面もしくはほぼ非球面の断面線形状となるように、スイープされた表面形状をなすものである。
【００３１】
前記入射面３０は、前記リフレクタ４の前記反射面４０と対向する。前記入射面３０は、平面もしくはほぼ平面をなす。前記フランジ部３２は、前記入射面３０の全周縁に鍔状に一体に設けられている。前記側面３３は、横断面における前記出射面３１Ｈと前記フランジ部３２との間に設けられている。
【００３２】
前記投影レンズ３の後側焦点（物空間側の焦点面であるメリジオナル像面）ＦＶは、前記反射面４０の前記第２焦点Ｆ２に一致もしくはほぼ一致する。前記投影レンズ３は、後側焦点距離Ａを有する。前記投影レンズ３の光軸（レンズ軸）Ｚは、前記反射面４０の前記光軸Ｚと一致もしくはほぼ一致する。
【００３３】
なお、図面では、省略したが、前記反射面４０の前記第２焦点Ｆ２および前記投影レンズ３の前記後側焦点ＦＶもしくはその近傍には、シェードが配置されている。前記シェードは、前記反射面４０からの前記反射光Ｌ１、Ｌ２の一部をカットオフして前記拡散配光パターンＷＰを形成するものである。前記シェードには、前記拡散配光パターンＷＰの前記上水平カットオフラインを形成するエッジが、設けられている。
【００３４】
（実施形態１の作用の説明）
この実施形態１における車両用灯具１は、以上のごとき構成からなり、以下、その作用について説明する。
【００３５】
光源２を点灯発光させる。すると、光源２から放射された光は、リフレクタ４の反射面４０で投影レンズ３側に反射する。その反射光Ｌ１、Ｌ２は、投影レンズ３の入射面３０から投影レンズ３中に入射する。その入射光は、投影レンズ３の出射面３１、３１Ｈ、３１Ｖから出射光Ｌ３、Ｌ４として、外部すなわち車両の前方に照射される。
【００３６】
ここで、横断面における出射面３１、３１Ｈからの出射光Ｌ３、Ｌ４は、光軸Ｚに対して横方向（左右方向、水平方向）に拡散されている。たとえば、出射光Ｌ３は、光軸Ｚに対して横方向（右方向）に角度θＢ°分拡散されている。このために、投影レンズ３の出射面３１から出射される光（出射光Ｌ３、Ｌ４）は、横断面において、相互に交差しないで横方向に拡散される。なお、縦断面における出射面３１、３１Ｖからの出射光（図示せず）は、光軸Ｚに対して、平行もしくはほぼ平行に、あるいは、縦方向（上下方向、垂直方向）に若干拡散されている。
【００３７】
この出射光Ｌ３、Ｌ４は、横方向に拡散された拡散配光パターンＷＰ（いわゆる、幅広の配光パターン）を形成する。この拡散配光パターンＷＰは、集光配光パターンＳＰと共に、ロービーム配光パターンを構成する。
【００３８】
（実施形態１の効果の説明）
この実施形態１における車両用灯具１は、以上のごとき構成および作用からなり、以下、その効果について説明する。
【００３９】
この実施形態１における車両用灯具１は、投影レンズ３の出射面３１、３１Ｈの横断面の形状が光の出射方向側に突出した凸曲線形状をなすので、光が横方向に拡散された幅広の配光パターンすなわち拡散配光パターンＷＰを確実に形成することができる。
【００４０】
ここで、投影レンズ３の出射面３１、３１Ｈの横断面の形状が、図３中の二点鎖線にて示すように、出射面３１、３１Ｖの縦断面の形状と同様に、非球面もしくはほぼ非球面の断面線形状の場合について説明する。この場合における投影レンズ３の出射面３１、３１Ｖからの出射光Ｌ５、Ｌ６は、この実施形態１における車両用灯具１の投影レンズ３の出射面３１、３１Ｈからの出射光Ｌ３、Ｌ４と比較して、光軸Ｚ側に寄っている。たとえば、出射光Ｌ５は、光軸Ｚに対して横方向（右方向）に角度θＡ°分拡散されている。この角度θＡ°は、前記の角度θＢ°よりも小さい。このために、この場合における投影レンズ３の出射面３１からの出射光Ｌ５、Ｌ６は、光が横方向に拡散された幅広の配光パターンすなわち拡散配光パターンＷＰを確実に形成することが難しい。
【００４１】
これに対して、この実施形態１における車両用灯具１は、投影レンズ３の出射面３１、３１Ｈの横断面の形状が光の出射方向側に突出した凸曲線形状をなす。この凸曲線形状の出射面３１、３１Ｈは、図３中の実線および二点鎖線に示すように、非球面もしくはほぼ非球面の出射面３１、３１Ｖよりも、光の照射方向側（前側）に突出している。このために、凸曲線形状の出射面３１、３１Ｈからの出射光Ｌ３、Ｌ４は、非球面もしくはほぼ非球面の出射面３１、３１Ｖからの出射光Ｌ５、Ｌ６と比較して、光軸Ｚに対して横方向に拡散されて出射する。これにより、光が横方向に拡散された幅広の配光パターンすなわち拡散配光パターンＷＰを確実に形成することができる。
【００４２】
しかも、この実施形態１における車両用灯具１は、プロジェクタタイプの車両用灯具である。このために、光源２からの光であってリフレクタ４の反射面４０で反射された反射光Ｌ１、Ｌ２は、投影レンズ３に入射する。その入射光は、投影レンズ３の出射面３１、３１Ｈ、３１Ｖから、横断面において、横方向に拡散された出射光Ｌ３、Ｌ４として出射する。これにより、光が横方向に拡散された幅広の配光パターンすなわち拡散配光パターンＷＰを確実に形成することができる。
【００４３】
この実施形態１における車両用灯具１は、投影レンズ３の出射面３１、３１Ｈ、３１Ｖからの出射光Ｌ３、Ｌ４が、光軸Ｚに対して横方向に拡散されている。このために、投影レンズ３の出射面３１、３１Ｈ、３１Ｖから出射される出射光Ｌ３、Ｌ４は、横断面において、相互に交差しないで横方向に拡散される。これにより、光が横方向に拡散された幅広の配光パターンすなわち拡散配光パターンＷＰを確実に形成することができる。
【００４４】
（変形例の構成、作用、効果の説明）
図３中の二点鎖線は、この発明にかかる車両用灯具の変形例を示す。以下、この変形例にかかる車両用灯具について説明する。
【００４５】
前記の実施形態１の車両用灯具１は、図１（Ｂ）、図２、図３に示すように、投影レンズ３の出射面３１、３１Ｈの横断面の形状が、光（出射光Ｌ３、Ｌ４）の出射方向側（前側）に突出した凸曲線形状をなすものである。これに対して、この変形例にかかる車両用灯具は、図３中の二点鎖線に示すように、投影レンズ３の出射面３１、３１Ｖの横断面形状が、図１（Ｃ）に示す出射面３１、３１Ｖの縦断面の形状と同様に、非球面もしくはほぼ非球面の断面線形状をなすものである。なお、この変形例にかかる車両用灯具の投影レンズ３の出射面の縦断面の形状は、前記の実施形態１の車両用灯具１の投影レンズ３の出射面３１、３１Ｖの縦断面の形状と同様に、非球面もしくはほぼ非球面の断面線形状をなす。
【００４６】
また、この変形例にかかる車両用灯具は、図３中の二点鎖線に示す投影レンズ３の横断面の出射面３１、３１Ｖの後側焦点ＦＨが、図１（Ｃ）に示す投影レンズ３の縦断面の出射面３１、３１Ｖの後側焦点ＦＶよりも後側に位置する。このために、この変形例にかかる車両用灯具は、図３中の二点鎖線に示す投影レンズ３の横断面の出射面３１、３１Ｖの後側焦点距離Ｂ（図１（Ｂ）を参照）が、図１（Ｃ）に示す投影レンズ３の縦断面の出射面３１、３１Ｖの後側焦点距離Ａよりも長い。
【００４７】
この変形例にかかる車両用灯具は、上記のごとき構成からなるので、前記の実施形態１の車両用灯具１とほぼ同様の作用、効果を達成することができる。すなわち、この変形例にかかる車両用灯具において、図３中の二点鎖線に示す投影レンズ３の横断面の出射面３１、３１Ｖから出射される出射光は、前記の実施形態１の車両用灯具１の投影レンズ３の横断面の出射面３１、３１Ｈから出射される出射光Ｌ３、Ｌ４とほぼ同様に、光軸Ｚに対して横方向に拡散されて出射する。これにより、光が横方向に拡散された幅広の配光パターンすなわち拡散配光パターンＷＰを確実に形成することができる。
【００４８】
しかも、この変形例にかかる車両用灯具は、プロジェクタタイプの車両用灯具である。このために、光源２からの光であってリフレクタ４の反射面４０で反射された反射光Ｌ１、Ｌ２は、投影レンズ３に入射する。その入射光は、図３中の二点鎖線に示す投影レンズ３の横断面の出射面３１、３１Ｖから、横断面において、横方向に拡散された出射光（すなわち、前記の実施形態１の車両用灯具１における投影レンズ３の横断面の出射面３１、３１Ｈから出射される出射光Ｌ３、Ｌ４とほぼ同様の出射光）として出射する。これにより、光が横方向に拡散された幅広の配光パターンすなわち拡散配光パターンＷＰを確実に形成することができる。
【００４９】
この変形例にかかる車両用灯具は、図３中の二点鎖線に示す投影レンズ３の横断面の出射面３１、３１Ｖからの出射光（すなわち、前記の実施形態１の車両用灯具１における投影レンズ３の横断面の出射面３１、３１Ｈから出射される出射光Ｌ３、Ｌ４とほぼ同様の出射光）が、光軸Ｚに対して横方向に拡散されている。このために、図３中の二点鎖線に示す投影レンズ３の横断面の出射面３１、３１Ｖからの出射光は、横断面において、相互に交差しないで横方向に拡散される。これにより、光が横方向に拡散された幅広の配光パターンすなわち拡散配光パターンＷＰを確実に形成することができる。
【００５０】
（実施形態２の構成、作用、効果の説明）
図５は、この発明にかかる車両用灯具の実施形態２を示す。以下、この実施形態２にかかる車両用灯具について説明する。
【００５１】
前記の実施形態１の車両用灯具１は、図１（Ｂ）、図２、図３に示すように、投影レンズ３の出射面３１、３１Ｈの横断面の形状が、光（出射光Ｌ３、Ｌ４）の出射方向側（前側）に突出した凸曲線形状、すなわち、ＲもしくはほぼＲをなすものである。前記の変形例にかかる車両用灯具は、図３中の二点鎖線に示すように、投影レンズ３の出射面３１、３１Ｖの横断面形状が、図１（Ｃ）に示す出射面３１、３１Ｖの縦断面の形状と同様に、非球面もしくはほぼ非球面の断面線形状をなすものである。
【００５２】
これに対して、この実施形態２にかかる車両用灯具は、図５に示すように、投影レンズ３００の出射面３１、３１ＨＣ、３１ＨＳの横断面の形状が、光の出射方向側（前側）に突出した凸曲線形状と非球面もしくはほぼ非球面の断面線形状とを組み合わせた形状をなす。すなわち、中央部の出射面３１、３１ＨＣの横断面の形状が、非球面もしくはほぼ非球面の断面線形状をなす。これにより、配光パターンの中央部の光度（集光度）を保つこと（維持すること）ができる。両側部の出射面３１、３１ＨＳの横断面の形状が、光の出射方向側に突出した凸曲線形状、すなわち、ＲもしくはほぼＲをなすものである。これにより、光が横方向に拡散された幅広の配光パターンすなわち拡散配光パターンＷＰを形成することができる。図５中の２本の二点鎖線は、中央部の出射面３１、３１ＨＣと両側部の出射面３１、３１ＨＳとの境界を示す。
【００５３】
なお、この実施形態２にかかる車両用灯具における投影レンズ３００の出射面の縦断面の形状は、前記の実施形態１の車両用灯具１および前記の変形例の車両用灯具における投影レンズ３の出射面３１、３１Ｖの縦断面の形状と同様に、非球面もしくはほぼ非球面の断面線形状をなす。
【００５４】
この実施形態２にかかる車両用灯具は、上記のごとき構成からなるので、前記の実施形態１の車両用灯具１および前記の変形例の車両用灯具とほぼ同様の作用、効果を達成することができる。すなわち、この実施形態２にかかる車両用灯具においては、投影レンズ３００の横断面の出射面３１、３１ＨＣ、３１ＨＳのうち中央部の出射面３１、３１ＨＣから出射される出射光が、光軸Ｚに対してほぼ平行に出射される。一方、投影レンズ３００の横断面の出射面３１、３１ＨＣ、３１ＨＳのうち両側部の出射面３１、３１ＨＳから出射される出射光は、前記の実施形態１の車両用灯具１における投影レンズ３の横断面の出射面３１、３１Ｈから出射される出射光Ｌ３、Ｌ４とほぼ同様に、光軸Ｚに対して横方向に拡散されて出射する。これにより、配光パターンの中央部の光度（集光度）を保ちつつ、光が横方向に拡散された幅広の配光パターンすなわち拡散配光パターンＷＰを確実に形成することができる。
【００５５】
しかも、この変形例にかかる車両用灯具は、プロジェクタタイプの車両用灯具である。このために、光源２からの光であってリフレクタ４の反射面４０で反射された反射光Ｌ１、Ｌ２は、投影レンズ３００に入射する。その入射光は、投影レンズ３００の横断面の出射面３１、３１ＨＣ、３１ＨＳのうち中央部の出射面３１、３１ＨＣから光軸Ｚに対してほぼ平行に出射され、一方、投影レンズ３００の横断面の出射面３１、３１ＨＣ、３１ＨＳのうち両側部の出射面３１、３１ＨＳから横方向に拡散された出射光（すなわち、前記の実施形態１の車両用灯具１における投影レンズ３の横断面の出射面３１、３１Ｈから出射される出射光Ｌ３、Ｌ４とほぼ同様の出射光）として出射する。これにより、光が横方向に拡散された幅広の配光パターンすなわち拡散配光パターンＷＰを確実に形成することができる。
【００５６】
この実施形態２にかかる車両用灯具は、投影レンズ３００の出射面３１、３１ＨＣ、３１ＨＳからの出射光（すなわち、前記の実施形態１の車両用灯具１における投影レンズ３の横断面の出射面３１、３１Ｈから出射される出射光Ｌ３、Ｌ４とほぼ同様の出射光）が、光軸Ｚに対して横方向に拡散されている。このために、投影レンズ３００の横断面における出射面３１、３１ＨＣ、３１ＨＳからの出射光は、横断面において、相互に交差しないで横方向に拡散される。これにより、光が横方向に拡散された幅広の配光パターンすなわち拡散配光パターンＷＰを確実に形成することができる。
【００５７】
（実施形態１、２、変形例以外の例の説明）
なお、この実施形態１、２、変形例においては、集光配光パターンＳＰと共にロービーム配光パターンを構成する拡散配光パターンＷＰを照射するものである。ところが、この発明においては、拡散配光パターンＷＰ以外の配光パターンを照射するものであっても良い。
【００５８】
また、この実施形態１、２、変形例においては、光源２として半導体型光源を使用するものである。ところが、この発明においては、光源２として半導体型光源以外の光源、たとえば、バルブ光源、放電灯光源などを使用しても良い。
【符号の説明】
【００５９】
１  車両用灯具
２  光源
３、３００  投影レンズ
３０  入射面
３１  出射面
３１Ｈ  出射面
３１ＨＣ  出射面（中央部の出射面）
３１ＨＳ  出射面（両側部の出射面）
３１Ｖ  出射面
３２  フランジ部
３３  側面
４  リフレクタ
４０  反射面
Ａ  後側焦点距離
Ｂ  後側焦点距離
ＣＬ１  下水平カットオフライン
ＣＬ２  斜めカットオフライン
ＣＬ３  上水平カットオフライン
Ｅ  エルボー点
Ｆ１  第１焦点
Ｆ２  第２焦点
ＦＨ  後側焦点
ＦＶ  後側焦点
ＨＬ−ＨＲ  スクリーンの左右の水平線
Ｌ１、Ｌ２  反射光
Ｌ３、Ｌ４、Ｌ５、Ｌ６  出射光
ＳＰ  集光配光パターン
ＶＵ−ＶＤ  スクリーンの上下の垂直線
ＷＰ  拡散配光パターン
Ｚ  光軸
θＡ°、θＢ°  角度
【図１】
0006455004.tif 000002
【図２】
0006455004.tif 000003
【図３】
0006455004.tif 000004
【図４】
0006455004.tif 000005
【図５】
0006455004.tif 000006